(57)【要約】【課題】シートに折れを発生させることなく、シートの整合を短時間に行うことができるシート処理装置を提供することである。【解決手段】トレイ２０には、搬送されてきた用紙が積載される。整合ガイド６０ａ，６０ｂは、用紙のｘ軸方向に延在する第１の辺が揃うように、用紙をトレイ２０上において整合する。整合パドル５０及び基準部５６は、整合ガイド６０ａ，６０ｂによる用紙の整合と時間的に重複するタイミングにおいて、用紙のｙ軸方向に延在する第２の辺が揃うように、用紙をトレイ２０上において整合する。整合パドル５０は、用紙の主面に対してｘ軸方向に力を付与して、基準部５６に第２の辺を接触させ、用紙に接触している羽根５２ａ，５２ｂがｙ軸方向に変位可能に構成されている。【選択図】図２
2012066912.tif 000002
【特許請求の範囲】
【請求項１】
搬送されてきたシートが積載されるトレイと、
前記シートの第１の方向に延在する第１の辺が揃うように、該シートを前記トレイ上において整合する第１の整合手段と、
前記第１の整合手段による前記シートの整合と時間的に重複するタイミングにおいて、該シートの前記第１の方向に直交する第２の方向に延在する第２の辺が揃うように、該シートを前記トレイ上において整合する第２の整合手段と、
を備えており、
前記第２の整合手段は、
基準部と、
前記シートの主面に対して前記第１の方向に力を付与して、前記基準部に前記第２の辺を接触させる整合部材であって、該シートに接触する部分が前記第２の方向に変位可能に構成されている整合部材と、
を備えていること、
を特徴とするシート処理装置。
【請求項２】
前記整合部材は、前記第２の方向に平行な中心軸を有する回転体であること、
を特徴とする請求項１に記載のシート処理装置。
【請求項３】
前記回転体は、前記第２の方向に変位可能に構成されていること、
を特徴とする請求項２に記載のシート処理装置。
【請求項４】
前記回転体は、複数のローラを有しており、
前記各ローラの回転軸は、前記回転体の回転時の該各ローラにおける接線と平行であること、
を特徴とする請求項２に記載のシート処理装置。
【発明の詳細な説明】
【技術分野】
【０００１】
本発明は、シート処理装置に関し、特に、トレイ上において複数のシートを整合するシート処理装置に関する。
【背景技術】
【０００２】
複数のシートを整合するためのシート処理装置としては、例えば、特許文献１に記載のシート処理装置が知られている。特許文献１に記載のシート処理装置は、搬送方向におけるシートの整合を行った後に、搬送方向に直交する幅方向におけるシートの整合を行っている。特許文献１に記載のシート処理装置では、２方向のシートの整合が同時に行われないので、シートに折れが発生しにくい。
【０００３】
しかしながら、特許文献１に記載のシート処理装置は、２方向のシートの整合を別々に行っているので、シートの整合に時間がかかるという問題を有している。
【先行技術文献】
【特許文献】
【０００４】
【特許文献１】特開２０００−１４３０７３号公報
【発明の概要】
【発明が解決しようとする課題】
【０００５】
そこで、本発明の目的は、シートに折れを発生させることなく、シートの整合を短時間に行うことができるシート処理装置を提供することである。
【課題を解決するための手段】
【０００６】
本発明の一形態に係るシート処理装置は、搬送されてきたシートが積載されるトレイと、前記シートの第１の方向に延在する第１の辺が揃うように、該シートを前記トレイ上において整合する第１の整合手段と、前記第１の整合手段による前記シートの整合と時間的に重複するタイミングにおいて、該シートの前記第１の方向に直交する第２の方向に延在する第２の辺が揃うように、該シートを前記トレイ上において整合する第２の整合手段と、を備えており、前記第２の整合手段は、基準部と、前記シートの主面に対して前記第１の方向に力を付与して、前記基準部に前記第２の辺を接触させる整合部材であって、該シートに接触する部分が前記第２の方向に変位可能に構成されている整合部材と、を備えていること、を特徴とする。
【発明の効果】
【０００７】
本発明によれば、シートに折れを発生させることなく、シートの整合を短時間に行うことができる。
【図面の簡単な説明】
【０００８】
【図１】本発明の一実施形態に係るシート処理装置を備えた複写機の構成図である。
【図２】処理部の外観斜視図である。
【図３】処理部の整合パドルの外観斜視図である。
【図４】変形例に係る処理部の外観斜視図である。
【図５】変形例に係る処理部の整合部の外観斜視図である。
【発明を実施するための形態】
【０００９】
以下、本発明の実施形態に係るシート処理装置について、添付図面を参照して説明する。
【００１０】
（全体構成）
図１は、本発明の一実施形態に係るシート処理装置１０を備えた複写機１の構成図である。複写機１は、上段部に設けた画像読み取りユニット（スキャナ）２にて光学的に読み取った原稿画像又は図示しないコンピュータから転送された画像データを、周知の電子写真方式にて用紙（シート）上にトナー画像を形成するもので、図１に示すように、中段部に感光体ドラムを中心とする画像形成ユニット５、下段部に給紙ユニット６を備えている。用紙は給紙ユニット６から１枚ずつ給紙され、搬送路７を上方に搬送され、画像形成ユニット５でトナー画像を転写された後、定着ユニット８でトナーの定着を施され、排出ローラ対９から排出される。
【００１１】
シート処理装置１０は、ステープル処理、穴開け処理、紙折り処理など種々の後処理を可能とするが、ここではステープル処理を行う装置として説明する。シート処理装置１０は、受け入れローラ対１１、搬送ローラ対１２，１３、処理部１６、トレイ２０、排紙トレイ３０及び排出ローラ対３１を備えている。
【００１２】
受け入れローラ対１１は、排出ローラ対９から排出された用紙をシート処理装置１０に導入する。搬送ローラ対１２，１３は、用紙をトレイ２０へと搬送する。トレイ２０には、搬送されてきた用紙が積載される。
【００１３】
処理部１６は、トレイ２０に積載されている複数の用紙を整合した後に、端部にステープルを打ち込む。処理部１６の詳細については後述する。排出ローラ対３１は、ステープルが打ち込まれた用紙束を排紙トレイ３０に排出する。
【００１４】
（処理部の構成）
次に、処理部１６の構成について図面を参照しながら説明する。図２は、処理部１６の外観斜視図である。ただし、図２において、ステープルを打ち込む構成については、省略してある。また、図２において、トレイ２０については一部のみ示してある。また、図２において、搬送ローラ対１３の内の下側のローラのみを示してある。図３は、処理部１６の整合パドル５０の外観斜視図である。図２において、鉛直方向をｚ軸方向と定義する。トレイ２０の長手方向をｘ軸方向と定義する。なお、ｘ軸方向は、排出ローラ対３１の搬送方向と一致している。トレイ２０の短手方向をｙ軸方向と定義する。ｘ軸方向とｙ軸方向とは直交している。
【００１５】
処理部１６は、図２に示すように、整合パドル（整合部材）５０、シャフト５４ａ，５４ｂ、基準部５６及び整合ガイド６０ａ，６０ｂを備えている。
【００１６】
前記の通り、用紙は、搬送ローラ対１３により図２の矢印Ａの方向へと搬送され、トレイ２０に排出される。
【００１７】
整合ガイド６０ａ，６０ｂは、用紙のｘ軸方向に延在する第１の辺が揃うように、用紙をトレイ２０上において整合する第１の整合手段を構成している。より詳細には、整合ガイド６０ａ，６０ｂは、ｙ軸方向に対して垂直な板である。整合ガイド６０ａは、トレイ２０のｙ軸方向の正方向側の辺に沿って、ｘ軸方向に伸びるように設けられている。整合ガイド６０ｂは、トレイ２０のｙ軸方向の負方向側の辺に沿って、ｘ軸方向に伸びるように設けられている。そして、整合ガイド６０ａ，６０ｂはそれぞれ、ｙ軸方向に平行移動することが可能である。これにより、整合ガイド６０ａ，６０ｂは、用紙をｙ軸方向の両側から挟みこむ。その結果、用紙は、ｘ軸方向に延在している第１の辺が揃うように整合される。
【００１８】
整合パドル５０、シャフト５４ａ，５４ｂ及び基準部５６は、整合ガイド６０ａ，６０ｂの用紙の整合と時間的に重複するタイミングにおいて、用紙のｙ軸方向に延在する第２の辺が揃うように、用紙をトレイ２０上において整合する第２の整合手段を構成している。基準部５６は、トレイ２０のｘ軸方向の負方向側の端部において、ｙ軸方向に並ぶように設けられている壁である。
【００１９】
整合パドル５０は、用紙の主面に対してｘ軸方向の負方向側に向かって力を付与して、基準部５６に用紙の第２の辺を接触させる。より詳細には、整合パドル５０は、ｙ軸方向に平行な回転軸を有する回転体であり、ｙ軸方向の正方向側から平面視したときに、反時計回りに回転する。整合パドル５０は、図３に示すように、パーツ５０ａ，５０ｂにより構成されている。パーツ５０ａは、円柱状の部材に羽根５２ａ，５２ｂが設けられて構成されている。羽根５２ａ，５２ｂは、円柱状の部材の側面より半径方向に延在する板状部材であり、１８０度をなしている。パーツ５０ｂは、円柱状の部材であり、パーツ５０ａに対して連結されている。そして、パーツ５０ａ，５０ｂは、ｙ軸方向に伸縮可能に構成されている。これにより、整合パドル５０は、用紙に接触する部分（すなわち、羽根５２ａ，５２ｂ）がｙ軸方向に変位可能に構成されている。
【００２０】
シャフト５４ａ，５４ｂはそれぞれ、ｙ軸方向に延在しており、パーツ５０ａ，５０ｂに接続されている。更に、シャフト５４ａには、図示しないモータが接続されている。これにより、モータの駆動力により、シャフト５４ａ，５４ｂが回転し、整合パドル５０が回転する。そして、用紙に羽根５２ａ，５２ｂが接触すると、用紙は、ｘ軸方向の負方向側に押されて、基準部５６に接触する。その結果、用紙は、ｙ軸方向に延在している第２の辺が揃うように整合される。
【００２１】
（効果）
以上のようなシート処理装置１０によれば、用紙に折れを発生させることなく、用紙の整合を短時間に行うことができる。より詳細には、特許文献１に記載のシート処理装置は、２方向のシートの整合を別々に行っているので、シートの整合に時間がかかるという問題を有している。
【００２２】
一方、シート処理装置１０では、整合パドル５０の羽根５２ａ，５２ｂは、ｙ軸方向に変位可能に構成されている。これにより、羽根５２ａ，５２ｂが用紙をｘ軸方向の負方向側に向かって押し出しているときに、整合ガイド６０ａ，６０ｂにより用紙がｙ軸方向に変位させられたとしても、用紙の変位に伴って、羽根５２ａ，５２ｂがｙ軸方向に変位する。そのため、羽根５２ａ，５２ｂが用紙に引っかかって、用紙に折れが発生することが抑制される。すなわち、第１の辺を揃える整合と第２の辺を揃える整合とを同時に行っても、用紙に折れが発生しない。以上より、シート処理装置１０によれば、用紙に折れを発生させることなく、用紙の整合を短時間に行うことができる。
【００２３】
（変形例）
以下に、変形例に係る処理部について図面を参照しながら説明する。図４は、変形例に係る処理部１６ａの外観斜視図である。図５は、変形例に係る処理部１６ａの整合部１５０の外観斜視図である。
【００２４】
処理部１６ａは、図４に示すように、処理部１６の整合パドル５０の代わりに整合部１５０を備えている。それ以外の点については、処理部１６と処理部１６ａとは同じである。
【００２５】
整合部１５０は、ｙ軸方向に平行な中心軸を有する回転体であり、図５に示すように、軸部１５０ａ、ばね１５２ａ〜１５２ｄ、支持部材１５４ａ〜１５４ｄ及びローラ１５６ａ〜１５６ｄを含んでいる。軸部１５０ａは、ｙ軸方向に長手方向を有する直方体状の部材であり、整合部１５０の中心を構成している。軸部１５０ａには、図４に示すように、シャフト５４ａ，５４ｂが接続されている。
【００２６】
ばね１５２ａ〜１５２ｄはそれぞれ、軸部１５０ａ及びシャフト５４ａ，５４ｂに直交するように、軸部１５０ａから放射状に伸びている。ばね１５２ａ〜１５２ｄはそれぞれ直交している。
【００２７】
支持部材１５４ａ〜１５４ｄはそれぞれ、ばね１５２ａ〜１５２ｄの先端に設けられ、コ字型をなしている。そして、支持部材１５４ａ〜１５４ｄは、ローラ１５６ａ〜１５６ｄを回転可能に支持している。ローラ１５６ａ〜１５６ｄの回転の中心軸は、整合部１５０の回転時の各ローラ１５６ａ〜１５６ｄにおける接線と平行である。これにより、ｚ軸方向の最も負方向側に位置しているローラ１５６ａ〜１５６ｄは、用紙と接触するローラ１５６ａ〜１５６ｄのｚ軸方向の最も負方向側の部分が、ｙ軸方向に変位するように、回転するようになる。
【００２８】
更に、ローラ１５６ａ〜１５６ｄはそれぞれ、図４及び図５に示すように、ばね１５２ａ〜１５２ｄを介して軸部１５０ａに接続されているので、ばね１５２ａ〜１５２ｄが撓むことにより、ｙ軸方向に変位することができる。
【００２９】
以上のような処理部１６ａを備えているシート処理装置１０によれば、処理部１６を備えているシート処理装置１０と同様に、用紙に折れを発生させることなく、用紙の整合を短時間に行うことができる。
【産業上の利用可能性】
【００３０】
本発明は、シート処理装置に有用であり、特に、シートに折れを発生させることなく、シートの整合を短時間に行うことができる点において優れている。
【符号の説明】
【００３１】
１ 複写機
１０  シート処理装置
１１  受け入れローラ対
１２，１３  搬送ローラ対
１６，１６ａ  処理部
２０  トレイ
３０  排紙トレイ
３１  排出ローラ対
５０  整合パドル
５０ａ，５０ｂ  パーツ
５２ａ，５２ｂ  羽根
５４ａ，５４ｂ  シャフト
５６  基準部
６０ａ，６０ｂ  整合ガイド
１５０  整合部
１５０ａ  軸部
１５２ａ〜１５２ｄ  ばね
１５４ａ〜１５４ｄ  支持部材
１５６ａ〜１５６ｄ  ローラ
【図１】
2012066912.tif 000003
【図２】
2012066912.tif 000004
【図３】
2012066912.tif 000005
【図４】
2012066912.tif 000006
【図５】
2012066912.tif 000007